(57)【要約】【課題】防水位置のズレなど、組み立て時の製品のバラツキを抑え、安定した防水性能の確保を図るとともに、組み立て作業工程の削減を可能とし、生産性の向上を図ることができるスピーカ取付構造を提供する。【解決手段】スピーカ１とそのスピーカ１を装着するケース３との間に弾性部材からなるパッキング５を介在させてスピーカ１をケース３へ装着するように構成したスピーカ取付構造において、パッキング５に、ケース３のスピーカ取付面へ密着させて防水性を得る防水リブ５１と、ガスケットの役割を果たす凸部５２とを一体に設ける。【選択図】図１
2009004821.tif 000002
【特許請求の範囲】
【請求項１】
スピーカとそのスピーカを装着するケースとの間に弾性部材からなるパッキングを介在させてスピーカをケースへ装着するように構成したスピーカ取付構造において、
前記パッキングに、ケースのスピーカ取付面へ密着させて防水性を得る防水リブと、ガスケットの役割を果たす凸部とを一体に設けたことを特徴とするスピーカ取付構造。
【請求項２】
前記防水リブは、ケースのスピーカ取付面の外周縁部分へ密着するように形成するとともに、前記凸部は、振動板のエッジの外周端縁部分へ圧接触するように形成したことを特徴とする請求項１項記載のスピーカ取付構造。
【請求項３】
前記防水リブは、押圧力に応じて変形可能に構成したことを特徴とする請求項１または請求項２記載のスピーカ取付構造。
【請求項４】
前記防水リブは、スピーカをケースに装着した状態においては、ケースのスピーカ取付面によって押し曲げられて変形して密着し、防水性を得ることを特徴とする請求項１から請求項３のうちいずれか一項記載のスピーカ取付構造。
【請求項５】
前記防水リブは、パッキングに円環状に突出させて一体に形成したことを特徴とする請求項１から請求項４のうちいずれか一項記載のスピーカ取付構造。
【請求項６】
前記凸部は、前記防水リブが形成されている箇所の裏側の対応する箇所に形成したことを特徴とする請求項１または請求項２記載のスピーカ取付構造。
【請求項７】
前記凸部は、スピーカフレームの外周縁部に立設した縁立て部の高さより高い高さに突出させて形成したことを特徴とする請求項１または請求項２あるいは請求項６のいずれか一項記載のスピーカ取付構造。
【請求項８】
前記凸部は、パッキングに円環状に突出させて一体に形成したことを特徴とする請求項１または請求項２あるいは請求項６または請求項７のうちいずれか一項記載のスピーカ取付構造。
【発明の詳細な説明】
【技術分野】
【０００１】
本発明は、携帯型の無線通信機や音響機器のスピーカ取付装置に関する。
【背景技術】
【０００２】
従来、屋外等で使用する携帯型の無線通信機や音響機器の場合、スピーカの装着には、防水性を考慮した取り付けが行なわれていた。
【０００３】
このように、防水性を考慮したスピーカ取付構造としては、例えば、スピーカを取り付けるケースの内面側とスピーカの前面側全周との間にシート状のパッキングを装着する。さらに、スピーカの後面側全周にＯリングを当接し、そのＯリングを介してスピーカの後面側全周を押え板で押圧固定し、防水性を得るように構成したスピーカ取付構造が提案されている（例えば、特許文献１参照）。
【０００４】
また、他の防水性を考慮したスピーカ取付構造としては、例えば、図３に示すように構成したスピーカ取付構造がある。
【０００５】
この図３に示すスピーカ１は、スピーカフレーム１１と、このスピーカフレーム１１に取り付けられた磁気回路１２と、ダンパー１３と、振動板１４と、ガスケット１５などを備えている。
【０００６】
上記のスピーカフレーム１１は、金属あるいは耐熱性を有するＡＢＳ樹脂などにて頭部側が拡開する略円錐筒状に一体に形成され、底部側に磁気回路装着部１１１が設けられている。また、このスピーカフレーム１１の拡開した頭部側の端部には、外方向に水平に折り曲げて一体に形成された取付部１１２が形成されている。さらに、この取付部１１２の外周端縁からは、縁立て部１１３が立ち上げられている。また、このスピーカフレーム１１の一側面には、ターミナル２が設けられている。
【０００７】
また、フレーム１１の取付部１１２には、積層ボール紙、コルク、合成ゴムの打ち抜きなどのプレス打ち抜きか、モールド成形されたガスケット１５が接着されている。
【０００８】
このガスケット１５は、スピーカ１の前面のバッフルスペース確保と、フロントキャビティーの機密性確保のために設けられている。さらに、このガスケット１５は、取付部１１２に固定したエッジ部１４１が振動板１４の振動によって取付部１１２から剥がれないようにするなどのスピーカ１の耐久性を保つ役割を持っている。
【０００９】
また、スピーカ取付部の防水効果を得るために、スピーカ１と、そのスピーカ１を取り付けるケース３の内側との間に、弾性を有するパッキング４を介在させている。このパッキング４は、その一側面をガスケット１５の上面へ圧接触するように平らに形成されている。
【００１０】
さらに、このパッキング４は、ケース３のスピーカ取付面と密着する側に、環状に突出させて一体に形成した断面形状が三角形状の防水リブ４１を設けている。この防水リブ４１は、スピーカ１をケース３へ装着した状態では、ケース３のスピーカ取付面によってその先端部分が押し曲げられて変形して密着し、防水性を得るように構成されている。
【００１１】
【特許文献１】実開平６−９１８８号公報
【発明の開示】
【発明が解決しようとする課題】
【００１２】
上記の特許文献１に開示されたＯリングを用いたスピーカの取付構造では、押え板側から強い押圧を加えてＯリングをスピーカの背面側へ押し付ける必要がある。したがって、この押圧力がＯリング全体に均等に加わり、Ｏリング全体が平均に押しつぶされなければ充分な防水性が得られないという問題があった。また、Ｏリング全体に強い押圧力を加えると、ケースが外方向に歪曲したり、スピーカ自体の変形を招き、防水性能が保てない事態が発生する恐れがあった。
【００１３】
また、図３に示す従来のスピーカ取付構造において、スピーカが小型かつ薄型の場合には、一般的に、細いガスケットが用いられているため、パッキングの防水リブをその幅内に安定して配置することが困難であった。その理由としては、各構成部品の寸法のばらつきや機器組み立て上の誤差が主な要因である。また、樹脂製のガスケットの場合には、成形品であるため、必ずエジェクタピンの跡があり、通常、そこに段差があるため、パッキング自体からではなく、エジェクタピンの跡から浸水する恐れがあった。
【００１４】
さらに、ガスケットがゴム製の場合は、材質の特性上、強固な接着が困難で、組み立て時に、少し外力が加わっただけで、剥がれてしまう場合があり、この状態を気付かないまま組み立ててしまう恐れがあり、防水性が確保できない問題があった。また、ガスケットの断面形状は、四角形が一般的であるが、ゴム製の場合、ねじれを生じることがあり、正しく接着することが困難であり、ねじれを生じた状態のまま組み立てた場合は、ねじれによって形成されたらせん状の隙間を通じて水が浸入する等の問題があった。
【００１５】
また、このような防水リブをなくし、ゴム面に直接ガスケットを押し当てる方法もあるが、この方法を実現するには、ガスケットの幅は広すぎて、ゴムの強力な反発力を発生させる。その結果として、ケースが外方向に押されて歪曲したり、スピーカ自体の変形を招き、防水が保てない事態が発生する恐れがあった。
【００１６】
本発明は、このような従来の構成が有していた問題を解決しようとするものであり、パッキングに、防水リブと、ガスケットの役割を果たす凸部を一体に形成することにより、防水位置のズレなど、組み立て時の製品のバラツキを抑え、安定した防水性能の確保を図るとともに、組み立て作業工程の削減を可能とし、生産性の向上を図ることができるスピーカ取付構造を提供することを目的としている。
【課題を解決するための手段】
【００１７】
上記の目的を達成するために、本発明のスピーカ取付構造においては、スピーカとそのスピーカを装着するケースとの間に弾性部材からなるパッキングを介在させてスピーカをケースへ装着するように構成したスピーカ取付構造において、前記パッキングに、ケースのスピーカ取付面へ密着させて防水性を得る防水リブと、ガスケットの役割を果たす凸部とを一体に設けたことを特徴としている。
【００１８】
また、本発明は、上記のスピーカ取付構造において、以下の態様の発明をも提供するものである。
【００１９】
まず、前記防水リブは、ケースのスピーカ取付面の外周縁部分へ密着するように形成するとともに、前記凸部は、振動板のエッジの外周端縁部分へ圧接触するように形成したことを特徴としている。
【００２０】
また、前記防水リブは、押圧力に応じて変形可能に構成したことを特徴としている。
【００２１】
また、前記防水リブは、スピーカをケースに装着した状態においては、ケースのスピーカ取付面によって押し曲げられて変形して密着し、防水性を得ることを特徴としている。
【００２２】
さらに、前記防水リブは、パッキングに円環状に突出させて一体に形成したことを特徴としている。
【００２３】
また、前記凸部は、前記防水リブが形成されている箇所の裏側の対応する箇所に形成したことを特徴としている。
【００２４】
また、前記凸部は、スピーカフレームの外周縁部に立設した縁立て部の高さより高い高さに突出させて形成したことを特徴としている。
【００２５】
さらに、前記凸部は、パッキングに円環状に突出させて一体に形成したことを特徴としている。
【発明の効果】
【００２６】
本発明のスピーカ取付構造は、パッキングに、防水リブと、ガスケットの役割を果たす凸部とを一体に形成したことにより、部品点数を削減することができる。また、パッキングとガスケットとが別部品であったときには、これらを装着するための作業工程必要であったが、パッキングに防水リブとガスケットの役割を果たす凸部とを一体に形成したことにより、スピーカ自体の生産上における歩留まりを改善することができるとともに、作業工程も削減することができ、生産性の向上を図ることができる。
【００２７】
さらに、パッキングに、防水リブと、ガスケットの役割を果たす凸部とを一体に形成したことにより、防水位置のズレなど、組み立て時の製品のバラツキを抑え、安定した防水性能の確保を図ることができる。
【発明を実施するための最良の形態】
【００２８】
以下、本発明を実施するための最良の形態について、図面に基づいて説明する。
図１は、本発明の一実施例のスピーカ取付構造を示す断面図である。図２は、図１に示すスピーカに装着されるパッキングの一実施例を示す要部を断面した斜視図である。
なお、上述した図３に示す従来のスピーカ取付構造と同一構成については、同一符号を付して重複した説明を省略する。
【００２９】
図１および図２において、１はスピーカ、３は携帯型無線通信機等のケース、５は弾性を有する樹脂などの部材で構成された環状のパッキングである。このパッキング５は、図２に示すように、通常の部材間へ挿入するパッキングとは形状を異にしている。
【００３０】
即ち、このパッキング５は、ケース３のスピーカ取付面へ密着させる側に、断面形状が三角形状に突出させて形成した環状の防水リブ５１を一体に形成し、防水性を得るように構成している。さらに、このパッキング５は、防水リブ５１を形成した箇所の裏側の対応する箇所に、断面形状が四角形状に突出させて形成した環状の凸部５２を一体に形成し、ガスケットの役割を果たすように構成している。
【００３１】
また、この凸部５２は、スピーカフレーム１１の外周縁部に立設した縁立て部１１３の高さより高い高さに突出させて形成している。
【００３２】
このように凸部５２を形成することにより、スピーカ１をケース３へ装着した時の押圧力によってパッキング５全体が圧縮された状態にあっても、取付部１１２に固定した振動板１４のエッジ部１４１へ確実に圧接触することができ、従来用いられていたガスケット１５と同様の働き、即ち、エッジ部１４１が振動板１４の振動によって取付部１１２から剥がれないようにするなどのスピーカ１の耐久性を保つ役割を持ち、かつ、スピーカ１の前面のバッフルスペース確保と、フロントキャビティーの機密性を確保することができように構成している。
【００３３】
このように構成したパッキング５の取り付け方法は、まず、スピーカフレーム１１の取付部１１２に装着された振動板１４のエッジ部１４１へパッキング５の凸部５２を装着する。この状態で、ケース３のスピーカ取付面へスピーカ１をネジ、または取付金具などの取付手段（図示しない）を用いてケース３へ取り付ける。このときのスピーカ１の取付面の押圧の強さは、防水リブ５１の先端部分がケース３のスピーカ取付面によって押し曲げられるだけの押圧力が必要であるが、この押圧力は、上述した従来のＯリング方式に比べて小さな圧力で装着することができる。
【００３４】
したがって、上記実施例のスピーカ取付構造は、パッキング５に、防水リブ５１と、ガスケットの役割を果たす凸部５２とを一体に形成したことにより、部品点数を削減することができる。また、パッキングとガスケットとが別部品であったときには、これらを装着するための作業工程必要であったが、パッキング５に防水リブ５１とガスケットの役割を果たす凸部５２とを一体に形成したことにより、スピーカ１自体の生産上における歩留まりを改善することができるとともに、作業工程も削減することができ、生産性の向上を図ることができる。
【００３５】
さらに、パッキング５に防水リブ５１と、ガスケットの役割を果たす凸部５２とを一体に形成したことにより、防水位置のズレなど、組み立て時の製品のバラツキを抑え、安定した防水性能の確保を図ることができる。
【００３６】
なお、本発明のスピーカ取付構造に用いるパッキングに形成した防水リブと凸部の形状は、上述した実施例に限定されるものではなく、本発明の趣旨に基づいて種々の形態をとりうることは勿論である。
また、上記実施例のパッキングは、コーン形の振動板の形状に対応して円環状に形成されているが、振動板の形状に応じて楕円形状や長円形状等に形成することもできる。
【図面の簡単な説明】
【００３７】
【図１】本発明の一実施例におけるスピーカ取付構造を示す断面図である。
【図２】図１に示すスピーカに装着されるパッキングの一実施例を示す要部を断面した斜視図である。
【図３】従来技術におけるスピーカ取付構造を示す断面図である。
【符号の説明】
【００３８】
１      スピーカ
１１    スピーカフレーム
１１１  磁気回路装着部
１１２  取付部
１１３  縁立て部
１２    磁気回路
１３    ダンパー
１４    振動板
１４１  エッジ部
１５    ガスケット
２      ターミナル
３      ケース
４      パッキング
４１    防水リブ
５      パッキング
５１    防水リブ
５２    凸部
【図１】
2009004821.tif 000003
【図２】
2009004821.tif 000004
【図３】
2009004821.tif 000005